【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
ディジタルデータを記憶する非一時的コンピュータ読取可能記憶媒体であって、
前記ディジタルデータは、平滑ベース・レイヤ・リファレンス・フレームを形成するためにトーン・マップされたエンハンスメント・レイヤ・リファレンス・フレームをベース・レイヤ残差と組み合わせることによって実行される少なくとも部分に関する逆トーン・マップされたインターレイヤ残差予測によって生成されるフレームの前記部分に対する符号化フレームデータであって、次に、前記平滑ベース・レイヤ・リファレンス・フレームに逆トーン・マッピング演算を用いてビット深度スケーラビリティのためにピクセル領域で実行された、符号化フレームデータを含み、
前記逆トーン・マッピング演算が実行される領域が残差領域から前記ピクセル領域にシフトされる、記憶媒体。
【手続補正２】
【補正対象書類名】明細書
【補正対象項目名】００５５
【補正方法】変更
【補正の内容】
【００５５】
本明細書では、添付の図面を参照して例示的な実施例について述べたが、本発明の原理は、これらの具体的な実施例に限定されるわけではなく、当業者なら、本発明の原理の範囲または趣旨を逸脱することなく様々な変更および修正をそれらの実施例に加えることができることを理解されたい。そうした変更および修正は全て、添付の特許請求の範囲に記載する本発明の原理の範囲に含まれる。
ここで例としていくつかの付記を記載する。
（付記１）
ビット深度スケーラビリティのためにピクセル領域において実行される逆トーン・マッピング演算を用いてピクチャの少なくとも一部分に関するインターレイヤ残差予測を生成することによって前記部分のピクチャ・データを符号化するエンコーダ（１００）を有する装置であって、
前記逆トーン・マッピング演算が残差領域から前記ピクセル領域にシフトされる、前記装置。
（付記２）
前記エンコーダは、エンハンスメント・レイヤ・リファレンスを用いた動き補償を実行してエンハンスメント・レイヤ予測を生成し、前記エンハンスメント・レイヤ予測をベース・レイヤ・リファレンスにトーン・マッピングしてトーン・マッピング予測を生成し、前記部分に関するベース・レイヤ残差を前記トーン・マッピング予測に結合して平滑ベース・レイヤ・リファレンスを取得し、前記平滑ベース・レイヤ・リファレンスを逆トーン・マッピングして逆トーン・マッピング予測を生成することによって、前記インターレイヤ残差予測を生成し、前記エンコーダは、前記逆トーン・マッピング予測を用いた動き推定および動き補償を実行して動きベクトルを取得し、前記動きベクトルならびに前記逆トーン・マッピング予測と前記ピクチャとの間の誤差を符号化して伝送する、付記１に記載の装置。
（付記３）
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスと同じビット深度を有している、付記２に記載の装置。
（付記４）
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスより大きいビット深度を有する、付記２に記載の装置。
（付記５）
前記ベース・レイヤ残差を空間的にアップサンプリングして、空間的にアップサンプリングされたベース・レイヤ残差を取得し、前記空間的にアップサンプリングされたベース・レイヤ残差を前記トーン・マッピング予測に結合して前記平滑ベース・レイヤ・リファレンスを取得する、付記２に記載の装置。
（付記６）
マクロブロック・レベル・シンタックスのフラグを使用して、前記インターレイヤ残差予測の生成に対応するインターレイヤ残差予測モードを使用していることを示す、付記２に記載の装置。
（付記７）
前記平滑ベース・レイヤ・リファレンスを指すエントリが前記エンハンスメント・レイヤの既存のリファレンス・リストに追加されるように、前記インターレイヤ残差予測の生成に対応するインターレイヤ残差予測モードを既存のインター・モードに埋め込んだ状態で送信する、付記２に記載の装置。
（付記８）
ビット深度スケーラビリティのためにピクセル領域において実行される逆トーン・マッピング演算を用いてピクチャの少なくとも一部分に関するインターレイヤ残差予測を生成することによって前記部分のピクチャ・データを符号化するステップを含む方法であって、
前記逆トーン・マッピング演算が残差領域から前記ピクセル領域にシフトされる、前記方法（４００）。
（付記９）
前記インターレイヤ残差予測の生成が、
エンハンスメント・レイヤ・リファレンスを用いた動き補償を実行してエンハンスメント・レイヤ予測を生成するステップ（４２５）と、
前記エンハンスメント・レイヤ予測をベース・レイヤ・リファレンスにトーン・マッピングしてトーン・マッピング予測を生成するステップ（４３０）と、
前記部分に関するベース・レイヤ残差を前記トーン・マッピング予測に結合して平滑ベース・レイヤ・リファレンスを取得するステップ（４４０）と、
前記平滑ベース・レイヤ・リファレンスを逆トーン・マッピングして逆トーン・マッピング予測を生成するステップ（４５５）とを含み、
前記符号化するステップが、
前記逆トーン・マッピング予測を用いて動き推定および動き補償を実行して動きベクトルを取得するステップと、
前記動きベクトルならびに前記逆トーン・マッピング予測と前記ピクチャとの間の誤差を符号化して伝送するステップ（４６０）とをさらに含む、付記８に記載の方法。
（付記１０）
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスと同じビット深度を有する、付記９に記載の方法。
（付記１１）
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスより大きいビット深度を有する、付記９に記載の方法。
（付記１２）
前記ベース・レイヤ残差を空間的にアップサンプリングして、空間的にアップサンプリングされたベース・レイヤ残差を取得し、前記空間的にアップサンプリングされたベース・レイヤ残差を前記トーン・マッピング予測に結合して前記平滑ベース・レイヤ・リファレンスを取得する、付記９に記載の方法。
（付記１３）
マクロブロック・レベル・シンタックスのフラグを使用して、前記インターレイヤ残差予測の生成に対応するインターレイヤ残差予測モードを使用していることを示す、付記９に記載の方法。
（付記１４）
前記平滑ベース・レイヤ・リファレンスを指すエントリが前記エンハンスメント・レイヤの既存のリファレンス・リストに追加されるように、前記インターレイヤ残差予測の生成に対応するインターレイヤ残差予測モードを既存のインター・モードに埋め込んだ状態で送信するステップをさらに含む、付記９に記載の方法。
（付記１５）
ビット深度スケーラビリティのためにピクセル領域において実行される逆トーン・マッピング演算を用いてピクチャの少なくとも一部分に関するインターレイヤ残差予測を生成することによって前記部分のピクチャ・データを復号するデコーダ（２００）を有する装置であって、
前記逆トーン・マッピング演算が残差領域から前記ピクセル領域にシフトされる、前記装置。
（付記１６）
前記デコーダは、エンハンスメント・レイヤ・リファレンスを用いた動き補償を実行してエンハンスメント・レイヤ予測を生成し、前記エンハンスメント・レイヤ予測をベース・レイヤ・リファレンスにトーン・マッピングしてトーン・マッピング予測を生成し、前記部分に関するベース・レイヤ残差を前記トーン・マッピング予測に結合して平滑ベース・レイヤ・リファレンスを取得し、前記平滑ベース・レイヤ・リファレンスを逆トーン・マッピングして逆トーン・マッピング予測を生成することによって、前記インターレイヤ残差予測を生成し、前記デコーダは、前記逆トーン・マッピング予測を用いた動き推定および動き補償を実行して動きベクトルを取得し、前記動きベクトルならびに前記逆トーン・マッピング予測と前記ピクチャとの間の誤差に基づいて前記部分の再構築バージョンを生成する、付記１５に記載の装置。
（付記１７）
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスと同じビット深度を有する、付記１６に記載の装置。
（付記１８）
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスより大きいビット深度を有する、付記１６に記載の装置。
（付記１９）
前記ベース・レイヤ残差を空間的にアップサンプリングして、空間的にアップサンプリングされたベース・レイヤ残差を取得し、前記空間的にアップサンプリングされたベース・レイヤ残差を前記トーン・マッピング予測に結合して前記平滑ベース・レイヤ・リファレンスを取得する、付記１６に記載の装置。
（付記２０）
マクロブロック・レベル・シンタックスのフラグを使用して、前記インターレイヤ残差予測の生成に対応するインターレイヤ残差予測モードを使用していることを示す、付記１６に記載の装置。
（付記２１）
前記平滑ベース・レイヤ・リファレンスを指すエントリが前記エンハンスメント・レイヤの既存のリファレンス・リストに追加されるように、前記インターレイヤ残差予測の生成に対応するインターレイヤ残差予測モードを既存のインター・モードに埋め込んだ状態で受信する、付記１６に記載の装置。
（付記２２）
ビット深度スケーラビリティのためにピクセル領域において実行される逆トーン・マッピング演算を用いてピクチャの少なくとも一部分のインターレイヤ残差予測を生成することによって前記部分のピクチャ・データを復号するステップを含む方法であって、
前記逆トーン・マッピング演算が残差領域から前記ピクセル領域にシフトされる、前記方法（６００）。
（付記２３）
前記インターレイヤ残差予測の生成が、
エンハンスメント・レイヤ・リファレンスを用いた動き補償を実行してエンハンスメント・レイヤ予測を生成するステップ（６２５）と、
前記エンハンスメント・レイヤ予測をベース・レイヤ・リファレンスにトーン・マッピングしてトーン・マッピング予測を生成するステップ（６３０）と、
前記部分に関するベース・レイヤ残差を前記トーン・マッピング予測に結合して平滑ベース・レイヤ・リファレンスを取得するステップ（６４０）と、
前記平滑ベース・レイヤ・リファレンスを逆トーン・マッピングして逆トーン・マッピング予測を生成するステップ（６５５）とを含み、
前記復号するステップが、
前記逆トーン・マッピング予測を用いて動き推定および動き補償を実行して動きベクトルを取得するステップと、  前記動きベクトルならびに前記逆トーン・マッピング予測と前記ピクチャとの間の誤差に基づいて前記部分の再構築バージョンを生成するステップ（６７０）とをさらに含む、付記２２に記載の方法。
（付記２４）
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスと同じビット深度を有する、付記２３に記載の方法。
（付記２５）
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスより大きいビット深度を有する、付記２３に記載の方法。
（付記２６）
前記ベース・レイヤ残差を空間的にアップサンプリングして、空間的にアップサンプリングされたベース・レイヤ残差を取得し、前記空間的にアップサンプリングされたベース・レイヤ残差を前記トーン・マッピング予測に結合して前記平滑ベース・レイヤ・リファレンスを取得する、付記２３に記載の方法。
（付記２７）
マクロブロック・レベル・シンタックスのフラグを使用して、前記インターレイヤ残差予測の生成に対応するインターレイヤ残差予測モードを使用していることを示す、付記２３に記載の方法。
（付記２８）
前記平滑ベース・レイヤ・リファレンスを指すエントリが前記エンハンスメント・レイヤの既存のリファレンス・リストに追加されるように、前記インターレイヤ残差予測の生成に対応するインターレイヤ残差予測モードを既存のインター・モードに埋め込んだ状態で受信するステップをさらに含む、付記２３に記載の方法。
（付記２９）
ビット深度スケーラビリティのためにピクセル領域において実行される逆トーン・マッピング演算を用いてピクチャの少なくとも一部分のインターレイヤ残差予測を生成することによって符号化された前記部分のピクチャ・データを含む、符号化されたビデオ信号データを有するコンピュータ可読記憶媒体であって、
前記逆トーン・マッピング演算が残差領域から前記ピクセル領域にシフトされる、前記コンピュータ可読記憶媒体。